(57)【特許請求の範囲】
【請求項１】
装飾を行うための装飾パネル部を前扉の右側部に備えた遊技機であって、
前記装飾パネル部は、
装飾が施された第１装飾部材及び第２装飾部材と、
薄板状に形成され、前記第１装飾部材と前記第２装飾部材との間に配置されるとともに、その表面および裏面に形成された反射面によって光の進行を妨げかつ反射可能な反射板と、
前記第１装飾部材と前記反射板との間に配置されるとともに、当該第１装飾部材及び当該反射板それぞれと対向する透過面並びに当該透過面の外周に位置する外周面を有し、当該外周面から入射された光を、前記第１装飾部材と対向する透過面を介して前記第１装飾部材の方向へ導く第１導光板と、
前記第２装飾部材と前記反射板との間に配置されるとともに、当該第２装飾部材及び当該反射板それぞれと対向する透過面並びに当該透過面の外周に位置する外周面を有し、当該外周面から入射された光を、前記第２装飾部材と対向する透過面を介して前記第２装飾部材の方向へ導く第２導光板と、
前記第１導光板の外周面及び前記第２導光板の外周面へ向けて光を照射する光源と、を備え、
前記第１装飾部材は遊技中の遊技者から視認可能な位置に設けられ、前記第２装飾部材は遊技中の遊技者から視認困難な位置に設けられるとともに、前記第１装飾部材と前記第２装飾部材とは互いに異なる内容の装飾が施されており、
前記反射板は、
当該反射板の表面に形成された前記反射面により前記第１導光板から当該反射板の方向へ拡散される光の進行を妨げ、当該光を前記第１装飾部材の方向へ反射させ前記第１装飾部材に施された装飾を発光させ得るとともに、当該反射板の裏面に形成された前記反射面により前記第２導光板から当該反射板の方向へ拡散される光の進行を妨げ、当該光を前記第２装飾部材の方向へ反射させ前記第２装飾部材に施された装飾を発光させ得ることを特徴とする遊技機。
【発明の詳細な説明】
【技術分野】
【０００１】
本発明は、遊技機に関し、詳しくは、遊技機の装飾を行うための装飾パネル部を備えた遊技機に関するものである。
【背景技術】
【０００２】
従来、この種の遊技機として、遊技盤を視認可能に覆う前扉を備え、この前扉の上部や左右側部に外観の装飾を行うための種々の装飾部材を設けたものが知られている。
近年では、端面に入射された光を所定方向へ導く導光板と、導光板の端面に光を入射可能に設けられたＬＥＤ等の光源と、導光板より所定方向へ導かれた光が照射される装飾部材（装飾シート）とを備え、光源を発光させることにより装飾部材に光が照射されて、装飾部材が発光しているように見せることが可能な装飾パネル部を設けた遊技機が考案されている（特許文献１参照）。
【先行技術文献】
【特許文献】
【０００３】
【特許文献１】特開２０１４−１７６４６８号公報
【発明の概要】
【発明が解決しようとする課題】
【０００４】
しかし、上述のような遊技機においては、光源からの光は概ね、導光板により装飾部材の位置する方向へ導かれるものの、一部の光は、拡散して所定方向とは異なる方向へ進行してしまうことがあるため、装飾部材への照射光が不十分となり、装飾部材が十分に発光しているように見せることができていないとの問題が生じていた。
【０００５】
そこで、本発明は、上述した事情によりなされたものであり、装飾部材が強く発光しているように見せることが可能な装飾パネル部を備えた遊技機の提供を目的とする。
【課題を解決するための手段】
【０００６】
上述した目的を達成するために、本発明は次のように構成されている。
以下、本発明の特徴点を図面に示した発明の実施の形態を用いて説明する。なお、下記の符号及び記載は、本発明の構成に相当する発明の実施の形態における構成の符号及び名称を示したものであり、本発明の技術的範囲を限定するものではない。
【０００７】
（１）本発明は、装飾を行うための装飾パネル部（サイドパネルユニット３００）を備えた遊技機（パチンコ機Ｐ）であって、装飾が施された装飾部材（左デザインシート３３１、右デザインシート３３２）と、光の進行を妨げかつ反射可能な反射板３５０と、前記装飾部材と前記反射板３５０との間に配置されるとともに、当該装飾部材及び当該反射板３５０それぞれと対向する透過面（左導光板３４１の右側面及び左側面、右導光板３４２の右側面及び左側面）並びに当該透過面の外周に位置する外周面（左導光板３４１及び右導光板３４２の背面）を有し、当該外周面から入射された光を、前記装飾部材と対向する透過面を介して前記装飾部材の方向へ導く導光板（左導光板３４１、右導光板３４２）と、前記導光板の外周面へ向けて光を照射する光源（ＬＥＤ基板３６０）と、を備え、前記反射板３５０は、前記導光板から当該反射板３５０の方向へ拡散される光の進行を妨げ、かつ当該光を前記装飾部材の方向へ反射させることを特徴とする
【０００８】
本発明に係る遊技機においては、導光板により装飾部材の方向へ導かれた光が装飾部材を照射するとともに、導光板から拡散し装飾部材と反対の方向へ進行した光は反射板３５０により反射し、この光も装飾部材を照射するようになっている。したがって、本発明に係る遊技機によれば、導光板へ入射した光が全て装飾部材を照射することとなるため、装飾部材がより強く発光しているように見せることができるのである。
【０００９】
（２）また、本発明に係る遊技機（パチンコ機Ｐ）は、装飾を行うための装飾パネル部（サイドパネルユニット３００）を前扉の右側部に備え、前記装飾パネル部は、装飾が施された第１装飾部材（左デザインシート３３１）及び第２装飾部材（右デザインシート３３２）と、薄板状に形成され、前記第１装飾部材と前記第２装飾部材との間に配置されるとともに、その表面および裏面に形成された反射面によって光の進行を妨げかつ反射可能な反射板３５０と、前記第１装飾部材と前記反射板３５０との間に配置されるとともに、当該第１装飾部材及び当該反射板３５０それぞれと対向する透過面（左導光板３４１の右側面及び左側面）並びに当該透過面の外周に位置する外周面（左導光板３４１の背面）を有し、当該外周面から入射された光を、前記第１装飾部材と対向する透過面を介して前記第１装飾部材の方向へ導く第１導光板（左導光板３４１）と、前記第２装飾部材と前記反射板３５０との間に配置されるとともに、当該第２装飾部材及び当該反射板３５０それぞれと対向する透過面（右導光板３４２の右側面及び左側面）並びに当該透過面の外周に位置する外周面（右導光板３４２の背面）を有し、当該外周面から入射された光を、前記第２装飾部材と対向する透過面を介して前記第２装飾部材の方向へ導く第２導光板（左導光板３４２）と、前記第１導光板の外周面及び前記第２導光板の外周面へ向けて光を照射する光源（ＬＥＤ基板３６０）と、を備え、前記第１装飾部材は遊技中の遊技者から視認可能な位置に設けられ、前記第２装飾部材は遊技中の遊技者から視認困難な位置に設けられるとともに、前記第１装飾部材と前記第２装飾部材とは互いに異なる内容の装飾が施されており、前記反射板３５０は、当該反射板の表面に形成された前記反射面により前記第１導光板から当該反射板３５０の方向へ拡散される光の進行を妨げ、当該光を前記第１装飾部材の方向へ反射させ前記第１装飾部材に施された装飾を発光させ得るとともに、当該反射板の裏面に形成された前記反射面により前記第２導光板から当該反射板３５０の方向へ拡散される光の進行を妨げ、当該光を前記第２装飾部材の方向へ反射させ前記第２装飾部材に施された装飾を発光させ得るようにしてもよい。
【発明の効果】
【００１０】
本発明によれば、装飾部材が強く発光しているように見せることが可能な装飾パネル部を備えた遊技機を提供することができる。
【図面の簡単な説明】
【００１１】
【図１】パチンコ機の外観正面図である。
【図２】パチンコ機の外観斜視図である。
【図３】パチンコ機におけるサイドパネルユニットの外観斜視図である。
【図４】パチンコ機におけるサイドパネルユニットであって、左透明パネル及び右透明パネルを取り外した状態を示す外観斜視図である。
【図５】パチンコ機におけるサイドパネルユニットの分解斜視図である。
【図６】パチンコ機におけるサイドパネルユニットのＡ−Ａ方向の平面断面図である。
【図７】パチンコ機におけるＬＥＤ基板からの光の進行状態を示した図である。
【発明を実施するための形態】
【００１２】
以下、本発明の好適な実施の形態を、図面を参照しつつ説明する。なお、本明細書において、後述するパチンコ機Ｐに設けられた各構成部品についての、前後（正面背面）、左右（側面）、上下（平面底面）の方向は、各構成部品をパチンコ機Ｐに固定した状態でパチンコ機Ｐを正面視したときの方向を示すものとする。
【００１３】
（パチンコ機Ｐの外部構成）
本形態に係る遊技機は、遊技媒体として遊技球を使用するパチンコ機Ｐである。特に図示していないが、一般的に、パチンコ機Ｐが設置される遊技場においては、島と呼ばれる遊技機の設置領域に、複数台のパチンコ機Ｐが並べて配設されるとともに、遊技球を貸し出すための遊技球貸出装置（特に図示しておらず）が各パチンコ機Ｐに隣接して設置される。また、各パチンコ機Ｐは対応する遊技球貸出装置に接続されている。
遊技球貸出装置は、紙幣の投入や遊技球の貸し出しに必要な価値情報が記憶される記憶媒体（カード）の挿入が可能となっている。そして、遊技球貸出装置に紙幣を投入（又は、カードを挿入）した上で、パチンコ機Ｐに対して所定の操作を行うことにより、遊技球貸出装置から遊技球の貸し出しを受けることができるようになっている。
【００１４】
本形態に係るパチンコ機Ｐは、図１及び図２に示すように、島に固定される四角形状の枠体であって、中空部（特に図示しておらず）を有する機枠Ｆ１と、この機枠Ｆ１にヒンジ機構（特に図示しておらず）により開閉自在に取り付けられる四角形状の枠体であって、中空部（特に図示しておらず）を有する本体枠Ｆ２と、この本体枠Ｆ２にヒンジ機構（特に図示しておらず）により開閉自在に取り付けられ、正面に開口部（特に図示しておらず）が形成された前扉Ｄと、を備えている。
【００１５】
本体枠Ｆ２の中空部には、遊技領域１２０を形成するための遊技盤１００が収容されている。また、図１及び図２に示すように、前扉Ｄには、開口部を覆う透明板４００と、透明板４００の上方から左側方にかけて（前扉Ｄの上部から左側部にかけて）透明板４００を取り囲むように取り付けられた装飾レンズ２１０と、透明板４００の右上方（前扉Ｄの右上角部）に取り付けられた回転灯ユニット２２０と、回転ユニット２２０の直下であって透明板４００の右方（前扉Ｄの右側部）に取り付けられたサイドパネルユニット３００と、透明板４００の下方に位置し遊技球を受容可能な上皿６００及び受皿７００と、上皿６００の前方に取り付けられた演出操作ユニット９００と、受皿７００の右方に取り付けられ遊技球の発射操作を行うための操作ハンドル５００と、透明板４００の左右下方にそれぞれ１個ずつ取り付けられたスピーカＳＰと、が設けられている。
【００１６】
装飾レンズ２１０の内部には、複数のＬＥＤ（特に図示しておらず）が設けられており、遊技の進行に伴ってＬＥＤが種々の色や発光パターンで発光することにより演出が行われるようになっている。
回転灯ユニット２２０は、環状に配置した複数のＬＥＤが設けられており、各ＬＥＤが配置順に点灯と消灯とを繰り返すことで、まるで回転灯が発光しているような演出を実行できるようになっている。
サイドパネルユニット３００は、図２及び図３に示すように、前扉Ｄの右側部に設けられ前方へ向けて突出するように形成された略長方形薄板状の装飾用の装置であって、この装置に内装されパチンコ機Ｐのモチーフとなったキャラクターや種々の文字情報等（以下、イラスト等ともいう）が描かれた左デザインシート３３１及び右デザインシート３３２の視認性を高めるためのものである。このサイドパネルユニット３００の詳細については後述する。
【００１７】
上皿６００には、遊技球貸出装置により貸し出される遊技球や、パチンコ機Ｐから払い出される賞球が導かれるようになっている。この上皿６００が遊技球で一杯になると、その後に貸し出されたり、払い出されたりする遊技球は受皿７００に導かれるようになっている。また、受皿７００に貯留された遊技球は、開閉レバー８００（図１参照）を操作することにより、受皿７００の外に排出することができるようになっている。
操作ハンドル５００は、遊技者が所定方向へ向けて回転操作できるように形成されている。そして、遊技者が操作ハンドル５００を回転操作すると、上皿６００に受容されている遊技球が発射装置（特に図示しておらず）に送られ、発射装置によって、操作ハンドル５００の回転角度に応じた強度で遊技球が発射される。
演出操作ユニット９００は、遊技の進行に伴って実行される演出の進行や切り替えを行うための装置であって、遊技者が所定方向へ向けて回転操作可能に形成された操作レバー９１０と、遊技者が押下操作可能に形成された操作ボタン９２０とを備えている。
【００１８】
また、パチンコ機Ｐは、機枠Ｆ１に対して本体枠Ｆ２を閉じ、さらに、前扉Ｄを閉じると、遊技盤１００の前方に間隙を挟んで透明板４００が位置することとなる。これにより、透明板４００を透過して、後方に位置する遊技盤１００を視認することができるようになっている。そして、機枠Ｆ１に対し本体枠Ｆ２及び前扉Ｄを閉じた状態で遊技盤１００と透明板４００との間に形成される空間のうち、遊技盤１００に固定された一対のレール（特に図示しておらず）により略円形状に仕切られた領域であって、操作ハンドル５００の操作に基づき発射装置により発射された遊技球が流下可能な領域が、遊技領域１２０を構成する。
【００１９】
遊技領域１２０には、特に図示しないが、遊技球の流下方向を不規則にするための風車及び多数の釘、遊技球が入球可能な一般入賞口及び始動入賞口、遊技球が通過可能なゲート、所定条件を満たすことで開放する大入賞口、遊技球を遊技盤１００の裏面側に導くアウト口、遊技の進行に伴って実行される演出の画像等を表示する液晶表示装置等が設けられている。
本形態に係るパチンコ機Ｐでは、図示しない発射装置により発射されて遊技領域１２０を流下する遊技球が、一般入賞口又は始動入賞口に入球すると、所定個数の賞球が払い出される。また、遊技球が始動入賞口へ入球した場合には、大入賞口が開放される特別遊技を実行させるか否かを決定する大当たりの抽選が行われる。そして、この大当たりの抽選によって大当たりに当選すると、大入賞口が開閉する特別遊技が実行される。なお、大入賞口へ遊技球が入球した場合にも、所定個数の賞球が払い出される。また、遊技球がゲートを通過すると、始動入賞口に設けられた可動片（特に図示しておらず）を開放するか否かを決定する抽選が行われる。そして、開放する旨が決定されると可動片が開放し、これにより、始動入賞口への遊技球の入球が容易となる。
一般入賞口、始動入賞口、大入賞口のいずれにも入球しなかった遊技球はアウト口に受け入れられ、遊技盤１００の背面側に導かれ回収される。なお、一般入賞口、始動入賞口又は大入賞口に入球した遊技球も、遊技盤１００の背面側に導かれ回収される。
【００２０】
（サイドパネルユニット３００）
次に、サイドパネルユニット３００の構造について説明する。
本形態におけるサイドパネルユニット３００は、図３及び図５に示すように、下部に配置される左ベース部材３１１と、この左ベース部材３１１に組み合わされる右ベース部材３１２とを備えている。そして、左ベース部材３１１と右ベース部材３１２とが組み合わされた状態で、この左ベース部材３１１及び右ベース部材３１２の上側に後述の各種部材が配置されることによりサイドパネルユニット３００が形成される。
【００２１】
なお、図３及び図５に示すように、右ベース部材３１２の背面側には、上下に並んで配置された円柱状の固定突起３１２ａが設けられており、前扉Ｄの右側部の所定箇所に形成された固定穴（特に図示しておらず）に固定突起３１２ａを嵌め込むことで、サイドパネルユニット３００が前扉Ｄの右側部に取り付けられる。
【００２２】
また、サイドパネルユニット３００が前扉Ｄに取り付けられた状態では、上述したように、サイドパネルユニット３００は前扉Ｄの前方へ向けて突出するため（図２参照）、島に並べて配設された隣り合うパチンコ機Ｐは、サイドパネルユニット３００によって仕切られた状態となる。すなわち、サイドパネルユニット３００は、隣り合うパチンコ機Ｐを仕切るための仕切り壁として機能するようになっている。
なお、遊技者がパチンコ機Ｐの正面に対峙した状態（パチンコ機Ｐの前に着席した状態）では、この遊技者は、対峙したパチンコ機Ｐにおけるサイドパネルユニット３００の左側面を視認することができるものの、右側面を視認することは困難となっている。これに対して、この遊技者は、左隣のパチンコ機Ｐにおけるサイドパネルユニット３００の右側面を視認することができる。
【００２３】
次に、左ベース部材３１１及び右ベース部材３１２の上側に配置される各種部材（サイドパネルユニット３００に内装される各種部材）について、説明する。
本形態におけるサイドパネルユニット３００は、図３及び図５に示すように、左ベース部材３１１の上面から立設する左透明パネル３２１及び右ベース部材３１２の上面から立設する右透明パネル３２２と、左透明パネル３２１の右側面と対向する左デザインシート３３１及び右透明パネル３２２の左側面と対向する右デザインシート３３２と、左デザインシート３３１の右側面と対向する左導光板３４１及び右デザインシート３３２の左側面と対向する右導光板３４２と、左導光板３４１と右導光板３４２との間に配置される（左導光板３４１の右側面と対向し、かつ右導光板３４２の左側面と対向する）反射板３５０と、左導光板３４１及び右導光板３４２の背面側に配置されるＬＥＤ基板３６０と、左透明パネル３２１及び右透明パネル３２２の正面側に取り付けられる押さえ部材３７０と、を備えている。
【００２４】
すなわち、図５に示すように、左ベース部材３１１及び右ベース部材３１２の上側には、その中央に反射板３５０が配置され、反射板３５０の左側及び右側にそれぞれ左導光板３４１及び右導光板３４２が配置され、左導光板３４１の左側及び右導光板３４２の右側にそれぞれ左デザインシート３３１及び右デザインシート３３２が配置され、左デザインシート３３１の左側及び右デザインシート３３２の右側にそれぞれ左透明パネル３２１及び右透明パネル３２２が配置される。そして、左ベース部材３１１及び右ベース部材３１２の上側にこれらの部材を配置するとともに、正面側に押さえ部材３７０を取り付け、かつ背面側にＬＥＤ基板３６０を取り付けることで、サイドパネルユニット３００が形成される（図３及び図５参照）。
【００２５】
左透明パネル３２１及び右透明パネル３２２は、無色透明のポリカーボネート製板部材である。そして、図５及び図６に示すように、左透明パネル３２１は、サイドパネルユニット３００が形成された状態における左側部に位置し、右透明パネル３２２は、サイドパネルユニット３００が形成された状態における右側部に位置する。すなわち、左透明パネル３２１は、サイドパネルユニット３００の左側面を構成し、右透明パネル３２２は、サイドパネルユニット３００の右側面を構成する。
また、右透明パネル３２２の右側面には、図３及び図５に示すように、突条３２３が形成されている。この突条３２３は、特に図示していないが、右透明パネル３２２の左側面に右デザインシート３３２が対向した状態で、右デザインシート３３２に描かれたイラスト等を取り囲むような位置に設けられており、このイラスト等を際立させるものとなっている。
【００２６】
なお、図５に示すように、左透明パネル３２１の上部正面側端部には、右方に突出した正面側ボス３２１ａが設けられ、左透明パネル３２１の上部背面側端部には、右方に突出した背面側ボス３２１ｂが設けられている。また、正面側ボス３２１ａ及び背面側ボス３２１ｂにはいずれもボス穴３２１ｃ，３２１ｄが形成されている（図５参照）。さらに、左透明パネル３２１の上部背面側端部には、背面方向に突出した円柱状の固定突起３２１ｅが設けられている。
また、図５に示すように、右透明パネル３２２の上部正面側端部における、左透明パネル３２１の正面側ボス３２１ａと対応する位置には、正面側ネジ穴３２２ａが設けられ、右透明パネル３２２の上部背面側端部における、左透明パネル３２１の背面側ボス３２１ｂと対応する位置には、背面側ネジ穴３２２ｂが設けられている。さらに、右透明パネル３２２の上部背面側端部には、背面方向に突出した円柱状の固定突起３２２ｃが設けられている。
【００２７】
左デザインシート３３１及び右デザインシート３３２は、透過性を有する樹脂製のシートである。上述の如く、左デザインシート３３１の左側面及び右デザインシート３３２の右側面にはそれぞれ、パチンコ機Ｐのモチーフとなったキャラクターや種々の文字情報（機種名、大当たりの当選確率等）等が描かれている。なお、本形態では、特に図示していないが、左デザインシート３３１の左側面に描かれたイラスト等の内容は右デザインシート３３２の右側面に描かれたイラスト等の内容と異なっている。
また、左デザインシート３３１の左側面は左透明パネル３２１の右側面と対向しているため（図３参照）、左透明パネル３２１を介して、左デザインシート３１１の左側面に描かれたイラスト等の内容を視認することができ、右デザインシート３３２の右側面は右透明パネル３２２の左側面と対向しているため（図３参照）、右透明パネル３２２を介して、右デザインシート３３２の右側面に描かれたイラスト等の内容を視認することができる。
【００２８】
また、図３〜図５に示すように、左デザインシート３３１の上部奥側には、上方へ突出する把持片３３１ａが形成され、右デザインシート３３２の上部略中央には、上方へ突出する把持片３３２ａが形成されている。そして、把持片３３１ａを把持することにより左デザインシート３３１を容易に掴むことができ、把持片３３２ａを把持することにより右デザインシート３３２を容易に掴むことができるようになっている。
【００２９】
左導光板３４１及び右導光板３４２は、図５に示すように、光を透過可能な縦長薄板状の部材である。また、図７に示すように、左導光板３４１の左側面の表面には、断面が略三角形状の複数の反射溝３４１ａが設けられ、右導光板３４２の右側面の表面には、断面が略三角形状の複数の反射溝３４２ａが設けられている。
そして、後述するＬＥＤ基板３６０が左導光板３４１の背面を照射することにより、この背面から入射され左導光板３４１の内部を通過する照射光が反射溝３４１ａによって左側面側に反射され、左導光板３４１の左側面が発光し、左デザインシート３３１を照らすようになっている（図７参照）。また、ＬＥＤ基板３６０が右導光板３４２の背面を照射することにより、この背面から入射され右導光板３４２の内部を通過する照射光が反射溝３４２ａによって右側面側に反射され、右導光板３４２の右側面が発光し、右デザインシート３３２を照らすようになっている（図７参照）。
これにより、左デザインシート３３１及び右デザインシート３３２が発光しているように見せることができ、左デザインシート３３１及び右デザインシート３３２に描かれたイラスト等の視認性を高めることができる。
【００３０】
ＬＥＤ基板３６０は、図５に示すように、基板面３６１に複数のＬＥＤ３６２を搭載した板部材であり、基板面３６１を左導光板３４１の背面及び右導光板３４２の背面に向けた状態で、左ベース部材３１１及び右ベース部材３１２の上側に配置される。
また、基板面３６１には、ＬＥＤ基板３６０を左ベース部材３１１及び右ベース部材３１２の上側に配置した状態で、左導光板３４１の背面に沿うようにＬＥＤ３６２が縦列配置された左ＬＥＤ部３６３と、右導光板３４２の背面に沿うようにＬＥＤ３６２が縦列配置された右ＬＥＤ部３６４とが設けられている。そして、左ＬＥＤ部３６３のＬＥＤ３６２によって左導光板３４１の背面が照射され、右ＬＥＤ部３６４のＬＥＤ３６２によって右導光板３４２の背面が照射されることとなる。
なお、左ＬＥＤ部３６３には、白色ＬＥＤとフルカラーＬＥＤとが交互に配置されており、右ＬＥＤ部３６４には、白色ＬＥＤのみが配置されている。
【００３１】
反射板３５０は、図５に示すように、縦長薄板状の反射部材であり、左導光板３４１と右導光板３４２との間に挟まれた状態で配置される。すなわち、反射板３５０の左側面が左導光板３４１の右側面と対向し、反射板３５０の右側面が右導光板３４２の左側面と対向するようになっている（図５参照）。
ここで、上述したように、ＬＥＤ基板３６０における左ＬＥＤ部３６３の白色ＬＥＤ３６２から左導光板３４１へ入射した光は、反射溝３４１ａによって左側面側に反射されるようになっているものの、一部の光は、右側面側へ進行（拡散）してしまうことがある。しかし、右側面側へ進行した光は、反射板３５０によって進行が妨げられる（遮光される）とともに、反射板３５０で反射し、その反射光は左導光板３４１の右側面側から左側面側へ向かって戻ることとなる。これにより、右側面側へ進行した光により右デザインシート３３２が照らされてしまうことで発光のムラが生じるのを防止しつつ、左デザインシート３３１がより強く発光しているように見せることができる。
また同様に、ＬＥＤ基板３６０における右ＬＥＤ部３６４の白色ＬＥＤ３６２から右導光板３４２へ入射した光は、反射溝３４２ａによって右側面側に反射されるようになっているものの、一部の光は、左側面側へ進行してしまうことがある。しかし、左側面側へ進行した光は、反射板３５０によって進行が妨げられるとともに、反射板３５０で反射し、その反射光は右導光板３４２の左側面側から右側面側へ向かって戻ることとなる。これにより、左側面側へ進行した光により左デザインシート３３１が照らされてしまうことで発光のムラが生じるのを防止しつつ、右デザインシート３３２がより強く発光しているように見せることができる。
【００３２】
なお、図５に示すように、反射板３５０の上部正面側端部における、上述の左透明パネル３２１の正面側ボス３２１ａ及び右透明パネル３２２の正面側ネジ穴３２２ａと対応する位置には、左右方向に貫通する貫通孔３５１ａが形成された正面側突出片３５１が設けられている。また、反射板３５０の上部背面側端部における、上述の左透明パネル３２１の背面側ボス３２１ｂ及び右透明パネル３２２の背面側ネジ穴３２２ｂと対応する位置には、左右方向に貫通する貫通孔３５２ａが形成された背面側突出片３５２が設けられている。
【００３３】
押さえ部材３７０は、図５に示すように、縦長棒状部材であり、左ベース部材３１１及び右ベース部材３１２の上側に配置された各部材（反射板３５０、左導光板３４１及び右導光板３４２、左デザインシート３３１及び右デザインシート３３２、左透明パネル３２１及び右透明パネル３２２）を保持するためのものである。
この押さえ部材３７０は、図５に示すように、左側部に位置する左透明パネル３２１と右側部に位置する右透明パネル３２２との間に形成される間隙に嵌まる押さえ片３７１を備えるとともに、この押さえ片３７１の上端部における、上述の左透明パネル３２１の正面側ボス３２１ａ、右透明パネル３２２の正面側ネジ穴３２２ａ及び反射板３５０の正面側突出片３５１と対応する位置には、左右方向に貫通する貫通孔３７２ａが形成された突出片３７２が設けられている。
【００３４】
以下、サイドパネルユニット３００の組み立て方法について説明する。
まず、左透明パネル３２１の右側に左デザインシート３３１及び左導光板３４１を配置した状態で、左透明パネル３２１の正面側ボス３２１ａを押さえ部材３７０の突出片３７２に形成された貫通孔３７２ａに挿入して、左透明パネル３２１に押さえ部材３７０を取り付ける。次に、上述の正面側ボス３２１ａを反射板３５０の正面側突出片３５１に形成された貫通孔３５１ａに挿入するとともに、左透明パネル３２１の背面側ボス３２１ｂを反射板３５０の背面側突出片３５２に形成された貫通孔３５２ａに挿入して、左透明パネル３２１に反射板３５０を取り付ける。その後、反射板３５０の右側に右導光板３４２及び右デザインシート３３２を配置し、さらに、右デザインシート３３２の右側に右透明パネル３２２を配置すると、左透明パネル３２１の正面側ボス３２１ａに形成されたボス穴３２１ｃと右透明パネル３２２の正面側ネジ穴３２２ａとが対向するとともに、左透明パネル３２１の背面側ボス３２１ｂに形成されたボス穴３２１ｄと右透明パネル３２２の背面側ネジ穴３２２ｂとが対向することとなる（図３参照）。そして、上述の部材の背面側にＬＥＤ基板３６０を配置した上で、右透明パネル３２２の右側面側から、正面側ネジ穴３２２ａ及び背面側ネジ穴３２２ｂそれぞれにネジを螺合させてネジ止めを行うことにより、サイドパネルユニット３００が完成することとなる（図５参照）。
【００３５】
そして、上述したように、右ベース部材３１２の背面側に設けられた固定突起３１２ａ、左透明パネル３２１の背面側に設けられた固定突起３２１ｅ及び右透明パネル３２２の背面側に設けられた固定突起３２２ｃを、前扉Ｄの右側部の所定箇所に形成された固定穴（特に図示しておらず）に嵌め込むことで、完成したサイドパネルユニット３００が前扉Ｄの右側部に取り付けられることとなる（図２及び図３参照）。
【００３６】
このように、本形態に係るパチンコ機Ｐによれば、１枚の反射板３５０により、左導光板３４１の右側面側へ向かう光を反射させて左デザインシート３３１へ向かわせるとともに、右導光板３４２の左側面側へ向かう光を反射させて右デザインシート３３２へ向かわせることができるため、複数枚の反射板３５０を設けることなく効率的に、左デザインシート３３１及び右デザインシート３３２を強く発光させることができ、さらには製造コストを軽減させることができるのである。
また、複数枚の反射板３５０を備える必要が無いことから、サイドパネルユニット３００を薄くすることができ、省スペース化を図ることができるのである。
【００３７】
なお、上述の実施の形態では、サイドパネルユニット３００は前扉Ｄの右側部に設けられていたが、サイドパネルユニット３００の設置位置はこれに限定されるものではない。たとえば、前扉Ｄの左側部に設けてもよいし、上述の実施の形態におけるサイドパネルユニット３００と同様の構成のパネルユニットを、前扉Ｄの上部に設けてもよい。
【００３８】
また、上述の実施の形態では、反射板３５０の左側及び右側のいずれにも、導光板（左導光板３４１、右導光板３４２）及びデザインシート（左デザインシート３３１、右デザインシート３３２）が設けられていたが、サイドパネルユニット３００の構造はこれに限定されるものではない。たとえば、反射板３５０の左側にのみ、導光板（左導光板３４１）及びデザインシート（左デザインシート３３１）を設けるようにしてもよいし、反射板３５０の右側にのみ、導光板（右導光板３４２）及びデザインシート（右デザインシート３３２）を設けるようにしてもよい。
【００３９】
また、上述の実施の形態では、左デザインシート３３１の左側面に描かれたイラスト等の内容は右デザインシート３３２の右側面に描かれたイラスト等の内容と異なっていたが、左デザインシート３３１及び右デザインシート３３２に描かれるイラスト等の内容はこれに限定されるものではない。たとえば、左デザインシート３３１の左側面に描かれたイラスト等の内容と右デザインシート３３２の右側面に描かれたイラスト等の内容とは同一としてもよい。
【００４０】
また、上述の実施の形態では、左ＬＥＤ部３６３には白色ＬＥＤとフルカラーＬＥＤとが交互に配置されており、右ＬＥＤ部３６４には白色ＬＥＤのみが配置されていたが、ＬＥＤの配置方法はこれに限定されるものではない。たとえば、左ＬＥＤ部３６３に白色ＬＥＤのみを配置するとともに、右ＬＥＤ部３６４に白色ＬＥＤとフルカラーＬＥＤとを交互に配置してもよいし、左ＬＥＤ部３６３及び右ＬＥＤ部３６４のいずれにも、白色ＬＥＤのみ又はフルカラーＬＥＤのみを配置するようにしてもよい。
【００４１】
また、上述の実施の形態では、ＬＥＤ基板３６０の基板面に左ＬＥＤ部３６３及び右ＬＥＤ部３６４が設けられ、左ＬＥＤ部３６３のＬＥＤ３６２が左導光板３４１の背面を照射し、右ＬＥＤ部３６４のＬＥＤ３６２が右導光板３４２の背面を照射するように形成されていたが、ＬＥＤ基板３６０の基板面の構造はこれに限定されるものではない。たとえば、ＬＥＤ基板３６０の基板面にはＬＥＤ３６２が縦列配置された一のＬＥＤ部のみを設け、このＬＥＤ部が左導光板３４１の背面及び右導光板３４２の背面のいずれをも照射するように形成してもよい。
【００４２】
また、左ＬＥＤ部３６３に配置されたＬＥＤの発光態様、及び、右ＬＥＤ部３６４に配置されたＬＥＤの発光態様についても特に限定されるものではない。たとえば、パチンコ機Ｐの状態（たとえば、通常遊技中、特別遊技中、所定の遊技状態の滞在中、遊技が行われていない待機中、エラー発生中等）に応じて、左ＬＥＤ部３６３に配置されたＬＥＤの発光強度及び右ＬＥＤ部３６４に配置されたＬＥＤの発光強度が同等となったり、左ＬＥＤ部３６３に配置されたＬＥＤの発光強度及び右ＬＥＤ部３６４に配置されたＬＥＤの発光強度が異なったりするように設定してもよい。
【００４３】
また、上述の実施の形態は、パチンコ機Ｐ以外の遊技機に応用することもできる。たとえば、遊技媒体として遊技メダルを用いて遊技を行わせるスロットマシンや、遊技球を用いてスロットマシンと同様の遊技を行わせるパロット（登録商標）遊技機等に適用してもよい。
【００４４】
なお、上述の実施の形態におけるサイドパネルユニット３００は、本発明の装飾パネル部に相当する。また、上述の実施の形態における左デザインシート３３１、右デザインシート３３２は、本発明の装飾部材に相当する。また、上述の実施の形態における左導光板３４１の右側面及び左側面、右導光板３４２の右側面及び左側面は、本発明の透過面に相当する。また、上述の実施の形態における左導光板３４１及び右導光板３４２の背面は、本発明の外周面に相当する。また、上述の実施の形態における左導光板３４１、右導光板３４２は、本発明の導光板に相当する。また、上述の実施の形態におけるＬＥＤ基板３６０は、本発明の光源に相当する。また、上述の実施の形態における左デザインシート３３１は、本発明の第１装飾部材に相当する。また、上述の実施の形態における右デザインシート３３２は、本発明の第２装飾部材に相当する。また、上述の実施の形態における左導光板３４１は、本発明の第１導光板に相当する。また、上述の実施の形態における右導光板３４２は、本発明の第２導光板に相当する。
【符号の説明】
【００４５】
Ｐ  パチンコ機                  Ｄ  前扉
３００  サイドパネルユニット
３１１  左ベース部材            ３１２  右ベース部材
３２１  左透明パネル            ３２２  右透明パネル
３３１  左デザインシート        ３３２  右デザインシート
３４１  左導光板                ３４２  右導光板
３５０  反射板                  ３６０  ＬＥＤ基板
３７０  押さえ部材
【図１】
0006803671.tif 000002
【図２】
0006803671.tif 000003
【図３】
0006803671.tif 000004
【図４】
0006803671.tif 000005
【図５】
0006803671.tif 000006
【図６】
0006803671.tif 000007
【図７】
0006803671.tif 000008